(57)【要約】【課題】  トランスデューサの構造上、比較的大きなグレーティングローブおよびサイドローブが存在していても、ハードウエアを肥大化させることなく、またはコストアップを招くことなく、上述の偽像発生の問題を解消するとともに方位分解能を高め、さらに周波数不連続方位の画質の低下の問題を解消した超音波送受信装置およびスキャニングソナーを提供する。【解決手段】  まず０°〜３６０°に亘って中心周波数が方位毎に異なるバースト波を主駆動信号Ｔｘ１として送信し、その送信信号の周波数変化が不連続となる基準方位（０°）を挟んで所定方位範囲（±３０°）の範囲の振動子をそれに対して方位方向に隣接する振動子への主駆動信号の駆動タイミングに連続して、且つその隣接する振動子に対する主駆動信号Ｔｘ１の周波数に近似する周波数の副駆動信号Ｔｘ２で駆動する。【選択図】  図７
2005106705.tif 000002
【特許請求の範囲】
【請求項１】
方位方向に複数の振動子を配列したトランスデューサと、該トランスデューサの複数の振動子を駆動して超音波を送信する送信制御手段と、前記超音波の物標からの反射波を受けて生じた前記複数の振動子の受信信号を合成して合成受信信号を得る受信制御手段とを備えた超音波送受信装置において、
前記送信制御手段は、基準方位を基準とする方位に応じて送信中心周波数および送信タイミングが順次異なったバースト波が送信されるように、前記複数の振動子のうち方位方向に沿って所定の送信開口を形成する複数の振動子を主駆動信号で駆動するとともに、前記基準方位を含む所定方位範囲の振動子を、該所定方位範囲の振動子の方位方向に隣接する振動子に対する前記主駆動信号の駆動タイミングに連続して且つ該主駆動信号と周波数および位相が連続する副駆動信号で駆動し、
前記受信制御手段は、方位別に前記主駆動信号と同一帯域の周波数を選択して、所定方位の受信信号を得るようにしたことを特徴とする超音波送受信装置。
【請求項２】
方位方向に複数の振動子を配列したトランスデューサと、該トランスデューサの複数の振動子を駆動して超音波を送信する送信制御手段と、前記超音波の物標からの反射波を受けて生じた前記複数の振動子の受信信号を合成して合成受信信号を得る受信制御手段とを備えた超音波送受信装置において、
前記送信制御手段は、全周が複数の基準方位で分割された各方位範囲内の方位毎に送信中心周波数が順次異なり、且つ前記方位範囲毎に送信タイミングが異なったバースト波が送信されるように、前記複数の振動子を駆動するとともに、前記基準方位を所定の方位範囲分超える方位範囲にわたって該方位範囲に方位方向に隣接する振動子に対する主駆動信号と周波数および位相が連続する副駆動信号で駆動し、
前記受信制御手段は、方位別に前記主駆動信号と同一帯域の周波数を選択して、所定方位の受信信号を得るようにしたことを特徴とする超音波送受信装置。
【請求項３】
請求項１または２に記載の超音波送受信装置と、該超音波送受信装置の送信制御手段および受信制御手段の制御により、探査すべき方位を順次走査して、各方位の受信信号から探知範囲の探知画像データを求め、該探知画像データを表示する手段とを備えたスキャニングソナー。
【発明の詳細な説明】
【技術分野】
【０００１】
この発明は、超音波の送受信によって水中等を探知する超音波送受信装置およびスキャニングソナーに関するものである。
【背景技術】
【０００２】
水中にある物標を探知するためにスキャニングソナーが用いられている。スキャニングソナーは、周囲の全方位の物標を探知するために、図１に示すような、ほぼ円筒形のトランスデューサを備えている。このトランスデューサの各振動子の駆動によって、全周に向けて超音波の送信ビームを形成する。その際、トランスデューサの各振動子を駆動する信号は、各段ごとに適当な遅延時間を持たせる。すなわち位相制御する。このことによって、垂直方向の指向性を所定角度に絞った、所定ティルト角の傘型の送信ビームを形成する。また、トランスデューサの円周方向（方位方向）に並ぶ所定列分の振動子を組として所定方位に受信ビームを形成し、用いる振動子列の組の選択を順次切り換えることによって、受信ビームの方位を回転させる。このことによって全方位に亘る探知を行う（例えば特許文献１参照）。
【特許文献１】特開２００３−２０２３７０公報
【発明の開示】
【発明が解決しようとする課題】
【０００３】
しかし、上記構成のスキャニングソナーにおいては、トランスデューサが複数の超音波振動子を等間隔に配列したものであるので、その構造上、グレーティングローブやサイドローブが生じ、探査方向以外の方向からの反射波を受信して、それが結果的に偽像となって画面に表れてしまう。
【０００４】
このようなグレーティングローブやサイドローブを有する送信ビームまたは受信ビームを方位方向に順次変化させて探査を行うと、メインローブが実在する物標とは異なった方向を向いている状態でグレーティングローブまたはサイドローブがその物標からの反射波を受けることにより、偽像が生じる。
【０００５】
上記のグレーティングローブを低減させるためには、超音波振動子の振動子間ピッチを狭くする方法がある程度有効である。しかし、振動子数が増えると、それを駆動する駆動回路、駆動のための制御回路、受信回路、さらには受信信号を処理する回路等が比例して増大するため、ハードウエアが肥大化し、大幅なコストアップにつながる。
【０００６】
そこで、本願出願人は特願２００２−１４５１９４にて、方位に応じて超音波の周波数に違いをもたせることによって、上述の問題を解消した発明について出願している。本発明は上記特願２００２−１４５１９４を改良して物標探知のための特性をさらに高めた超音波送受信装置およびスキャニングソナーに関する発明である。
【０００７】
上記特願２００２−１４５１９４では、グレーティングローブやサイドローブによる偽像を低減する方法として、方位別に帯域を制限した信号を送信し、受信時にビーム方位別の帯域制限を行う方位別周波数送受信法（本発明ではＤＦＭ（Directional Frequency Modulation）送信法という。）が用いられている。この送信法では、同一の振動子からは単一のバースト波の送信を行う。
【０００８】
図１６は上記ＤＦＭ送信法の１つの例であるＤＦＭ−ＦＭ送信法を図示したものである。（Ａ）はトランスデューサ上の各振動子の駆動周波数を示している。その横軸はトランスデューサ上の基準方位からの振動子の方位方向の位置（以下、「素子方位角」という。）、縦軸は基準方位（０°）におけるバースト波の開始タイミングを０とする経過時間である。ここで、Ｔはバースト波の持続時間、Ｆｗは０°〜３６０°の範囲でのバースト波の中心周波数の変化幅（方位別周波数掃引幅）、Ｂは１つのバースト波内での周波数掃引幅である。（Ｂ）は送信信号の波面の例を示している。この図において、円形で示す部分がトランスデューサ、その内部で扇状に示す角度範囲が送信開口である。このように送信開口を方位方向に順次移動させながら、送信周波数を変化させる。
【０００９】
図１７は上記ＤＦＭ送信法の別の例であるＤＦＭ−ＣＷ送信法を図示したものである。（Ａ）はトランスデューサ上の各振動子の駆動周波数を示している。横軸は基準方位からの素子方位角、縦軸はバースト波の開始タイミングを０とする経過時間である。（Ｂ）はトランスデューサから送信される送信信号の波面の例を示している。中心の円はトランスデューサ、このトランスデューサと同心円状にある円Ｈは、送信後所定時間経過後の波面である。素子方位角が０から増す程、送信信号の周波数は次第に高くなる関係にある。
【００１０】
図１９の（Ａ）は、基準方位からの素子方位角に対するバースト波の中心周波数の変化を示している。また、図１８は基準方位からの観測点方位角と送信信号強度との関係を示している。（Ａ）は図１６に示した送信法による特性を示している。ここで、バースト波の中心周波数ｆｏ＝８０ｋＨｚ、Ｆｗ＝１６ｋＨｚ、Ｂ＝４ｋＨｚ、Ｔ＝１ｍｓとしている。（Ｂ）は図１７に示した送信法による特性をそれぞれ示している。ここで、バースト波の周波数ｆｏ＝８０ｋＨｚ、Ｆｗ＝１６ｋＨｚ、Ｔ＝１ｍｓとしている。
【００１１】
このように、全周（３６０°）にわたって方位方向に送信ビームの周波数が直線的に変化する場合、０°（基準方位）で周波数が不連続となる。この送信ビームの周波数が不連続となる方位では探知画像の画質が劣化してしまう。低周波スキャニングソナーでは、上記基準方位を船尾方向とすることで特に問題は生じないが、中周波スキャニングソナーでは、全方位の探知が求められているために、特定の方位での画質劣化は防止することが望まれている。また、上記ＤＦＭ送信法では、単一周波数を用いる従来のＣＷ送信法に比べると、 広い周波数帯域が必要とされることにより、他機器の干渉を受け易いという問題がある。さらに、ＤＦＭ−ＦＭ送信法では、送信継続時間が長くなることにより、近距離の探知範囲が制限されるが、近距離からの探知が求められる中周波スキャニングソナーでは、その改善が望まれている。
【００１２】
ちなみに図１９の（Ｂ）に示すように、周波数が１８０°の範囲で折り返して変化するように周波数を割り当てた場合、周波数の不連続性による画質の劣化は起きず、周波数帯域、送信継続時間も短くできるという利点はある。しかし、基準方位角０°と、１８０°で周波数が折り返して、対称方向に同一周波数を用いることになるので、方位間での干渉が起きてグループレーティングローブやサイドローブの影響低減効果が小さくなるという欠点が生じる。
【００１３】
そこで、この発明の目的は、トランスデューサの構造上、比較的大きなグレーティングローブおよびサイドローブが存在していても、ハードウエアを肥大化させることなく、またはコストアップを招くことなく、上述の偽像発生の問題を解消するとともに方位分解能を高め、さらに上述の周波数不連続方位の画質の低下の問題を解消した超音波送受信装置およびスキャニングソナーを提供することにある。
【課題を解決するための手段】
【００１４】
この発明の超音波送受信装置は、方位方向に複数の振動子を配列したトランスデューサと、該トランスデューサの複数の振動子を駆動して超音波を送信する送信制御手段と、前記超音波の物標からの反射波を受けて生じた前記複数の振動子の受信信号を合成して合成受信信号を得る受信制御手段とを備えた超音波送受信装置において、
前記送信制御手段は、基準方位を基準とする方位に応じて送信周波数および送信タイミングが順次異なったバースト波が送信されるように、前記複数の振動子のうち方位方向に沿って所定の送信開口を形成する複数の振動子を主駆動信号で駆動するとともに、前記基準方位を含む所定方位範囲の振動子を、該所定方位範囲の振動子の方位方向に隣接する振動子に対する前記主駆動信号の駆動タイミングに連続して且つ該主駆動信号の周波数および位相が連続する副駆動信号で駆動し、
前記受信制御手段は、方位別に前記主駆動信号の周波数を選択して、所定方位の受信信号を得るようにしたことを特徴としている。
【００１５】
また、この発明の超音波送受信装置は、方位方向に複数の振動子を配列したトランスデューサと、該トランスデューサの複数の振動子を駆動して超音波を送信する送信制御手段と、前記超音波の物標からの反射波を受けて生じた前記複数の振動子の受信信号を合成して合成受信信号を得る受信制御手段とを備えた超音波送受信装置において、
前記送信制御手段は、全周が複数の基準方位で分割された各方位範囲の方位毎に送信周波数が順次異なり、且つ前記方位範囲毎に送信タイミングが異なったバースト波が送信されるように、前記複数の振動子を駆動するとともに、前記基準方位を所定の方位範囲分超える方位範囲にわたって該方位範囲に方位方向に隣接する振動子に対する主駆動信号の周波数および位相が連続する副駆動信号で駆動し、
前記受信制御手段は、方位別に前記主駆動信号の周波数を選択して、所定方位の受信信号を得るようにしたことを特徴としている。
【００１６】
また、この発明のスキャニングソナーは、上記超音波送受信装置と、該超音波送受信装置の送信制御手段および受信制御手段の制御により、探査すべき方位を順次走査して、各方位の受信信号から探知範囲の探知画像データを求め、該探知画像データを表示する手段とを備えたことを特徴としている。
【発明の効果】
【００１７】
この発明によれば、送信制御手段が方位別に異なる周波数帯域の超音波信号を送信し、受信制御手段が方位別に周波数選択して所定方位の受信信号を得るようにしたので、他の方位からの反射信号を実質的に受けないようになる。その結果、グレーティングローブおよびサイドローブにより偽像が生じるのを防止でき、方位分解能も高まる。
【００１８】
しかも、周波数が不連続となる基準方位付近でも、周波数、位相、ウエイトが連続した信号を送信できるので、基準方位付近の送信信号の強度が低下することがない。その結果、周波数が不連続となる方位方向の画質が低下することがなく、全周囲にわたって略均質な探知画像を得ることができる。
【発明を実施するための最良の形態】
【００１９】
各図を参照して、この発明の超音波送受信装置およびスキャニングソナーについて説明する。
図１はスキャニングソナーに用いるトランスデューサの構成図である。図１に示すように、トランスデューサ１は、１段６４列、５段の合計３２０個の超音波振動子Ａｉｊ（ｉ＝１〜６４、ｊ＝１〜５）で構成している。このトランスデューサ１は、船舶の底部に円筒の軸が垂直になるように設置する。
【００２０】
図２は送信ビームについて説明する図である。同図の（Ａ）は、水平（ティルト角０°）の全方位を探査する場合に形成される送信ビームの指向性を示している。（Ｂ）は、所定ティルト角の全方位を探査する場合に形成される送信ビームを示している。各振動子を駆動する際、トランスデューサ１の下の段ほど遅延時間を長くすることにより傘型の送信ビームを下方向にティルトさせる。
【００２１】
図３は受信ビームについて示す図である。受信ビームは、トランスデューサ１の円周方向の連続する複数列の振動子を組として用いる。所定数連続する複数列の振動子の受信信号を合成する際、（Ａ）に示すように、連続する複数列の中央部ほど位相を遅らせて合成することにより、（Ｂ）に示すように、水平方向の指向性を鋭くする。また、トランスデューサ１の段方向に遅延時間を設定することによって、ティルト角を制御するとともに、垂直方向の指向性も鋭くする。このことにより、所謂ペンシル型の受信ビームを形成する。
（Ｃ）はその遅延時間を一定にした例であり、（Ｄ）に示すように、受信ビームは水平方向を向く。（Ｅ）は、下の段ほど遅延時間を長くした例であり、（Ｆ）に示すように、受信ビームは下方向にティルトする。
【００２２】
このように傘型の送信ビームを形成し、その送信ビーム内の所定方位をペンシル型の受信ビームで受信することにより、傘型の探知範囲について探知する。
【００２３】
図４は上記送信ビームと受信ビームによる探知範囲を示す図である。ここで、ＴＢはティルト角θの傘型の送信ビーム、ＲＢはペンシル型の受信ビームである。上記トランスデューサ１の列方向の複数の振動子の組を６４組とすれば、方位方向に６４本の分解能で受信ビームＲＢを形成することができる。距離方向については、時間軸上のサンプリング周期に応じた分解能で、送信ビームＴＢ内の任意の区画Ｐについて探知画像データを順次生成する。
【００２４】
図４において、送信ビームを水平（θ＝０°）方向またはそれより所定角度ティルトさせることにより、横方向の探知を行う。
【００２５】
以上に示した例では、円筒面に複数の振動子を配列したトランスデューサを用いたが、球面の全面またはその一部の面に複数の振動子を配列したトランスデューサを用いてもよい。
【００２６】
図５は、スキャニングソナーの送受信チャンネルの構成を示すブロック図である。図５において、ドライバ回路１２は、インターフェース２０，１１を介して、後述するプログラマブル送信ビーム形成制御部から与えられた２値化された駆動コードを、フルブリッジ型ＰＤＭ送信アンプ（パルス幅変調（ＰＤＭ：pulse-duration modulation ）により送信するための送信アンプ）のＦＥＴを駆動するための、４種類のドライブ信号にデコードする。
【００２７】
ＴＸ増幅回路１３は、上記フルブリッジ型ＰＤＭ送信回路によりＰＤＭ変調された３値信号を出力する。これにより、送受切替回路１４を介して振動子１０を駆動する。送受切替回路１４は、送信期間にＴＸ増幅回路１３の出力信号を振動子１０へ導き、受信期間に、振動子１０が出力した信号をプリアンプ１５へ受信信号として導く。プリアンプ１５は、この受信信号を増幅し、バンドパスフィルタ１６は、受信信号の周波数帯域以外のノイズ成分を除去する。Ａ／Ｄコンバータ１７は、その受信周波数帯域の信号を所定のサンプリング周期でサンプリングし、ディジタルデータ列に変換する。
【００２８】
上記の部分で送受信チャンネル１００を構成する。この送受信チャンネルを、１００ａ，１００ｂ，・・・１００ｎで示すように、振動子１０の数だけ設けている。
【００２９】
図６は、図５に示した複数の送受信チャンネル１００を用いて送信ビームおよび受信ビームを形成するとともに、所定探知範囲の探知画像を生成するためのブロック図である。図６におけるインターフェース２０は、図５に示したインターフェース２０のことである。
図６において、２６はプログラマブル送信ビーム形成制御部である。このプログラマブル送信ビーム形成制御部２６は、送信信号生成回路２１、波形メモリ２４およびＴＸ−ＤＳＰ２５を含んでいる。送信信号生成回路２１には、タイミングジェネレータ２２と係数テーブル２３とを設けている。この送信信号生成回路２１は、ＦＰＧＡ（Field Prgramble Gate Array）からなる。タイミングジェネレータ２２は、送信信号の生成タイミングの基準となる信号を発生する。ＴＸ−ＤＳＰ２５は送信信号生成用ＤＳＰ（ディジタル信号処理回路）である。
【００３０】
ＴＸ−ＤＳＰ２５は、ＰＤＭ変調波形を生成するための、２値化された基準駆動コードを、３２方位に対してそれぞれ８種類の異なるウェイトについて計算し、波形メモリ２４へ書き込む。さらに、送信ビーム形成のために、各チャンネルの遅延量、ウェイト値、送信方位番号（基準方位からの素子方位角）を送信周期毎に計算し、これらをテーブルとして係数テーブル２３に書き込む。
【００３１】
送信信号生成回路２１は、係数テーブル２３から係数を読み出し、該当する駆動コードを波形メモリから読み出して、各チャンネル毎に送信方位番号に対応する基準駆動コードとウェイト値と遅延量とに基づいて駆動コードを生成する。
【００３２】
バッファメモリ２７は、インタフェース２０を介して各チャンネルからの受信データを一時記憶するメモリである。２８はプログラマブル受信ビーム形成制御部であり、ＲＸ−ＤＳＰ２９、係数テーブル３０、および受信ビーム形成演算部３１を含んでいる。ＲＸ−ＤＳＰ２９は、各受信ビーム毎に各振動子による受信信号の位相とウエイトを計算し、係数テーブル３０へ書き込む。受信ビーム形成演算部３１はＦＰＧＡからなり、各振動子の受信信号に対して係数テーブル３０に書き込まれた位相とウエイトの計算を行って合成することにより合成受信信号を得る。この合成受信信号を受信ビーム毎の時系列データとして求め、これをバッファメモリ３２へ書き込む。
【００３３】
３３はプログラマブルフィルタであり、フィルタＤＳＰ３４、係数テーブル３５、およびフィルタ演算部３６から構成している。このプログラマブルフィルタ３３は、ビーム毎に所定の帯域制限とパルス圧縮を行う機能を持つ。ＦＭ信号の送信を行う場合に、受信時に帯域制限とパルス圧縮の両方の処理を同時に行う。つまり、各方位に送信したＦＭ信号の時間軸を反転した信号を畳み込む。フィルタ演算部３６はＦＰＧＡからなる。フィルタＤＳＰ３４は、ビーム毎に所定の通過帯域フィルタ特性を得るためのフィルタ係数を計算し、それを係数テーブル３５へ書き込む。フィルタ演算部３６は係数テーブル３５の係数を基にＦＩＲ（Finite Impulse Response ）フィルタとしての演算を行い、帯域処理済受信信号を求める。
【００３４】
エンベロープ検出部４０は、各受信ビームの帯域処理済受信信号のエンベロープ（包絡線）を検出する。具体的には、時間波形の実数成分の二乗と虚数成分の二乗との和の平方根を求めることにより検出する。
【００３５】
イメージ処理部４１は、各受信ビームの各距離における受信信号強度をイメージ情報化してディスプレイ４２へ出力する。これによりディスプレイ４２に所定探知範囲の探知画像を表示する。
【００３６】
操作部３９は、探知範囲のティルト角の指示等を行う入力部である。ホストＣＰＵ３７は、インターフェース３８を介して操作部３９の指示内容を読み取り、上述した各部の制御を行う。
【００３７】
なお、図６では省略したが、船舶のローリングやピッチングを検出する装置からそれらの情報を入力し、ＴＸ−ＤＳＰ２５は、船舶の動揺に関わらず常に所定の探知範囲に送信ビームを形成するように、係数テーブル２３に書き込むべき係数を計算する。同様に、船舶のローリングやピッチングに応じて、ＲＸ−ＤＳＰ２９は、船舶の動揺に関わらず常に所定方位に受信ビームを形成するように、係数テーブル３０に書き込むべき係数を計算する。
【００３８】
［ＤＦＭ−ＦＭ送信法］
図７は方位別周波数送受信法ＤＦＭでＦＭ信号を送信する送信法（ＤＦＭ−ＦＭ送信法）による例を示す図である。（Ａ）は基準方位からの素子方位角に対するバースト波の中心周波数の変化を示している。この例では、０°〜３６０°の全周に亘って第１の駆動信号Ｔｘ１で各振動子を駆動し、第２の駆動信号Ｔｘ２で所定方位範囲の振動子を駆動する。すなわち第１の駆動信号Ｔｘ１で０°〜３６０°の全方位に亘って方位方向に各振動子の駆動中心周波数を直線的に変化させる。方位別周波数掃引幅の中央での周波数をｆｏとすれば、この第１の駆動信号Ｔｘ１のバースト波の中心周波数（バースト波の中間時点での周波数）は、基準方位０°でｆｏ−Ｆｗ／２、１８０°でｆｏ、３６０°でｆｏ＋Ｆｗ／２である。ここでＦｗは方位別周波数掃引幅である。また、第２の駆動信号Ｔｘ２で素子方位角０°〜３０°の振動子をｆｏ＋Ｆｗ／２の周波数で駆動し、３３０°〜３６０°の振動子をｆｏ−Ｆｗ／２の周波数で駆動する。この第１の駆動信号Ｔｘ１がこの発明に係る「主駆動信号」に相当し、第２の駆動信号Ｔｘ２がこの発明に係る「副駆動信号」に相当する。
【００３９】
図７の（Ｂ）は第１の駆動信号Ｔｘ１による素子方位角方向の各振動子に対する重みの分布、（Ｃ）は第２の駆動信号Ｔｘ２による素子方位角方向の各振動子に対する重みの分布をそれぞれ示している。このように、第１の駆動信号Ｔｘ１は０°〜３６０°の全方位に亘って各振動子を重み１で駆動する。第２の駆動信号Ｔｘ２は０°〜３０°の振動子を１から０まで順次減少する重みで駆動し、３３０°〜３６０°の振動子を０から１まで順次増大する重みで駆動する。
【００４０】
図７の（Ｄ）は、基準方位からの素子方位角とバースト波のタイミングおよび対応する振動子の駆動周波数との関係を示している。図中の水平方向の平行線は波の同位相面を表している。横軸は基準方位からの素子方位角、縦軸は基準方位（０°）におけるバースト波の開始タイミングを０とする経過時間である。ここでＴはバースト波の持続時間、Ｂは１つのバースト波内の周波数掃引幅である。このように基準方位（０°）を基準とする方位に応じて送信中心周波数および送信タイミングが順次異なったバースト波が送信されるように、トランスジューサの複数の振動子のうち方位方向に沿って所定の送信開口を形成する複数の振動子を第１の駆動信号Ｔｘ１で駆動する。この第１の駆動信号Ｔｘ１による駆動は図１６の（Ａ）に示した送信方法による駆動と同一である。
【００４１】
一方、第２の駆動信号Ｔｘ２は、基準方位（０°）を含む所定方位範囲（０±３０°）の振動子を駆動する。この第２の駆動信号Ｔｘ２は、上記所定方位範囲の振動子の方位方向に隣接する振動子に対する第１の駆動信号Ｔｘ１に周波数および位相が連続する。すなわち、（Ａ）に示したように、第１の駆動信号Ｔｘ１は素子方位角３６０°の振動子を中心周波数ｆｏ＋Ｆｗ／２とし周波数掃引幅Ｂに亘って周波数掃引するので、第２の駆動信号Ｔｘ２は素子方位角０°〜３０°の振動子を中心周波数ｆｏ＋Ｆｗ／２とし周波数掃引幅Ｂに亘って周波数掃引する。同様に、第１の駆動信号Ｔｘ１は素子方位角０°の振動子を中心周波数ｆｏ−Ｆｗ／２とし周波数掃引幅Ｂに亘って周波数掃引するので、第２の駆動信号Ｔｘ２は素子方位角３３０°〜３６０°の振動子を中心周波数ｆｏ−Ｆｗ／２とし周波数掃引幅Ｂに亘って周波数掃引する。
【００４２】
さらに第２の駆動信号Ｔｘ２は上記所定方位範囲（０±３０°）の振動子の方位方向に隣接する振動子に対する第１の駆動信号Ｔｘ１の駆動タイミングに連続して上記所定方位範囲の振動子を駆動する。すなわち、（Ｄ）に示すように、第１の駆動信号Ｔｘ１は素子方位角３６０°の振動子をＴ・Ｆｗ／ＢからＴ・Ｆｗ／Ｂ＋Ｔまでの時間駆動するので、第２の駆動信号Ｔｘ２は素子方位角０°〜３０°の振動子をＴ・Ｆｗ／ＢからＴ・Ｆｗ／Ｂ＋Ｔまでの時間駆動する。同様に第１の駆動信号Ｔｘ１は素子方位角０°の振動子を０からＴまでの時間駆動するので、第２の駆動信号Ｔｘ２は素子方位角３３０°〜３６０°の振動子を０からＴまでの時間駆動する。
【００４３】
このように、基準方位付近でも周波数、位相、ウエイトが連続する信号を送信する。したがって、送信ビームの周波数が方位方向で不連続となる基準方位（０°）での探知画像の画質の低下が解消できる。
【００４４】
なお、この第２の駆動信号Ｔｘ２の重みは図７の（Ｃ）に示したように、送信開口のウェイトが方位変化に対して直線的に変化し、送信開口の開口端で０となる。そのため、方位角３０°と３３０°（−３０°）で第２の駆動信号Ｔｘ２により駆動される振動子と駆動されない振動子との境界部分での不連続性もなくなり、画質への影響が抑制できる。
【００４５】
また、図７の（Ｄ）から明らかなように、同一方位の振動子に対しては周波数帯域と送信タイミングが共に重ならないので、第１の駆動信号Ｔｘ１による駆動と第２の駆動信号Ｔｘ２による駆動とが干渉することがない。
【００４６】
上記第１・第２の駆動信号Ｔｘ１，Ｔｘ２は、図６に示したプログラマブル送信ビーム形成制御部２６が発生した駆動コードに基づいて、図５に示したＴＸ増幅回路１３が発生した駆動信号に相当する。すなわち、ＴＸ−ＤＳＰ２５は係数テーブル２３に対して駆動信号Ｔｘ１を発生するための係数と、駆動信号Ｔｘ２を発生するための係数とをそれぞれ書き込む。そして送信信号生成回路２１は、送信ビーム形成のために各チャンネルのウェイト値と遅延量と送信方位番号に応じた駆動コードをＴｘ１，Ｔｘ２各々について計算し、一部のチャンネルへは必要に応じて２通りの駆動コードを送信する。この例では、素子方位角０°〜３０°，３３０°〜３６０°の振動子を駆動するチャンネルに対して２通りの駆動コードを与える。このように、一度の送信で２回分のバースト波を送信するように振動子を駆動するチャンネルに対しては、Ｔｘ１，Ｔｘ２各々について計算した駆動コードを与える。このことは以降に示す各実施形態で共通である。
図８はこの実施形態の送信法による基準方位からの観測方位角と送信信号強度との関係を示している。図１８の（Ａ）と比べて明らかなように、基準方位（０°）での送信信号強度の低下が極めて小さく、その方位での探知画像の劣化が生じないことがわかる。
【００４７】
図６に示したプログラマブルフィルタ３３はビーム毎に所定の帯域制限とパルス圧縮を行うが、その帯域制限とパルス圧縮は第１の駆動信号Ｔｘ１により駆動されて送信された送信信号と同じ帯域の反射信号を受信するように制御する。例えば、基準方位０°の受信処理では、中心周波数がｆｏ−Ｆｗ／２でパルス周波数掃引幅がＢの周波数帯域に制限する。このことによって方位分解能を高める。また、送信信号のバースト波の周波数掃引とは逆方向に周波数変化する信号、すなわち周波数がｆｏ−Ｆｗ／２＋Ｂ／２からｆｏ−Ｆｗ／２−Ｂ／２まで変化するＦＭ信号を受信信号に畳み込むことによってパルス圧縮を行う。このことによって距離分解能を高める。
【００４８】
なお、第１の駆動信号Ｔｘ１によるバースト波の送信タイミングは方位ごとにずれているので、上述の帯域制限とパルス圧縮を行った後に、この時間ずれの補正を行う。
【００４９】
次に、第２の実施形態に係る超音波波送受信装置およびスキャニングソナーについて図９を参照して説明する。
（Ａ）は基準方位からの素子方位角に対するバースト波の中心周波数の変化、（Ｂ）は第１の駆動信号Ｔｘ１による素子方位角方向の各振動子に対する重みの分布、（Ｃ）は第２の駆動信号Ｔｘ２による素子方位角方向の各振動子に対する重みの分布、（Ｄ）は、基準方位からの素子方位角とバースト波のタイミングおよび対応する振動子の駆動周波数との関係をそれぞれ示している。
【００５０】
図７に示した例では、素子方位角０°〜３０°，３３０°〜３６０°の振動子を第２の駆動信号Ｔｘ２で一様の周波数で駆動するようにしたが、この図８に示す例では、素子方位角０°〜３６０°の方位変化に対する第１の駆動信号Ｔｘ１の周波数変化が連続するように０°〜３０°，３３０°〜３６０°の振動子を第２の駆動信号Ｔｘ２で駆動する。
【００５１】
ここでＦｗは３３０°（−３０°）から＋３０°の範囲（３６０＋６０°）にかけて変化する周波数掃引幅である。また図７との対比を容易にするために、（Ｄ）では３３０°におけるバースト波の開始タイミングを時刻０とし、基準方位から送信方位角と時間との関係を示している。
【００５２】
このように、３６０°を超える範囲に亘って方位別周波数掃引を行うことによって、所定の送信開口を形成する複数の振動子の方位方向の駆動周波数分布が３６０°に亘って均等になるので、本来なら周波数が不連続となる０°での探知画像の画質変化をより小さく抑えることができる。
【００５３】
次に、第３の実施形態に係る超音波送受信装置およびスキャニングソナーについて図１０を参照して説明する。
図７に示した例では、０°〜３６０°に亘って周波数掃引を行うようにしたので、１つの基準方位０°で送信ビームの方位方向の周波数変化が不連続となるが、３６０°をいくつかに分割した各方位範囲毎に周波数掃引を行ってもよい。図１０に示す例では１８０毎に周波数掃引を行う。図１０の（Ａ）は基準方位からの素子方位角に対するバースト波の中心周波数の変化、（Ｂ）は第１の駆動信号Ｔｘ１による素子方位角方向の各振動子に対する重みの分布、（Ｃ）は第２の駆動信号Ｔｘ２による素子方位角方向の各振動子に対する重みの分布、（Ｄ）は、基準方位からの素子方位角とバースト波のタイミングおよび対応する振動子の駆動周波数との関係をそれぞれ示している。
【００５４】
ここで０°〜１８０°の第１の駆動信号Ｔｘ１と、１８０°〜３６０°の第２の駆動信号Ｔｘ２とがこの発明に係る「主駆動信号」に相当し、１８０°〜２１０°，３３０°〜３６０°の第１の駆動信号Ｔｘ１と、０°〜３０°，１５０°〜１８０°の第２の駆動信号Ｔｘ２とがこの発明に係る「副駆動信号」に相当する。
【００５５】
もし、０°〜１８０°の範囲を第１の駆動信号Ｔｘ１だけで駆動し、１８０°〜３６０°の範囲を第２の駆動信号Ｔｘ２だけで駆動すれば、２つの基準方位０°，１８０°で送信ビームの方位方向の周波数変化が不連続となるので、その２箇所で探知画像の画質が劣化することになるが、０°±３０°の範囲と１８０°±３０°の範囲をそれぞれ第１の駆動信号Ｔｘ１と第２の駆動信号Ｔｘ２の両方で方位方向に送信開口を形成する複数の振動子を駆動するようにしたので、所定強度の送信ビームが形成できる。その結果、この２つの基準方位０°，１８０°で探知画像の画質の劣化が生じない。
【００５６】
図１１はこの実施形態の送信法による基準方位からの観測方位角と送信信号強度との関係を示している。図１８の（Ａ）と比べて明らかなように、基準方位（０°）での送信信号強度の低下が極めて小さく、その方位での探知画像の劣化が生じないことがわかる。
【００５７】
なお、図１０の例では３６０°を２分割したが、これを３分割またはそれ以上に分割して基準方位を３つ以上設ける場合にも同様に適用できる。
【００５８】
この図１０に示したように狭い方位角度範囲で周波数掃引を行うことによって、方位変化に対する周波数変化率を同じとすると、方位別の帯域幅を狭くでき、他の機器からの干渉を受けにくくできる。
【００５９】
また図１０に示した例では全ての振動子を駆動するのに必要な時間（送信継続時間）を短くできるので、近距離での探知範囲の制約を少なくでき、より近距離まで探知可能となる。
【００６０】
次に、第４の実施形態に係る超音波送受信装置およびスキャニングソナーについて図１２を参照して説明する。
図１２の（Ａ）は基準方位からの素子方位角に対するバースト波の周波数の変化、（Ｂ）は第１の駆動信号Ｔｘ１による素子方位角方向の各振動子に対する重みの分布、（Ｃ）は第２の駆動信号Ｔｘ２による素子方位角方向の各振動子に対する重みの分布、（Ｄ）は、基準方位からの素子方位角とバースト波のタイミングおよび対応する振動子の駆動周波数との関係をそれぞれ示している。
【００６１】
ここで０°〜１８０°の第１の駆動信号Ｔｘ１と、１８０°〜３６０°の第２の駆動信号Ｔｘ２とがこの発明に係る「主駆動信号」に相当し、１８０°〜２１０°，３３０°〜３６０°の第１の駆動信号Ｔｘ１と、０°〜３０°，１５０°〜１８０°の第２の駆動信号Ｔｘ２とがこの発明に係る「副駆動信号」に相当する。
【００６２】
この例では（Ｄ）に示すように、第１の駆動信号Ｔｘ１で３３０°（−３０°）〜２１０°の範囲の振動子を、０からＴまで駆動する。但し、３３０°〜３６０°の範囲の振動子はそれに隣接する素子方位０°の振動子に対する駆動周波数ｆｏ−Ｆｗ／２で一様に駆動する。また１８０°〜２１０°の範囲の振動子はそれに隣接する素子方位１８０°の振動子に対する駆動周波数ｆｏ＋Ｆｗ／２で一様に駆動する。
【００６３】
また、第２の駆動信号Ｔｘ２で１５０°〜３０°の範囲の振動子を、上記第１の駆動信号Ｔｘ１によるバースト波の送信タイミングから一定時間ｄｅｌａｙだけ遅れた時刻からＴの幅だけ駆動する。但し、１５０°〜１８０°の範囲の振動子はそれに隣接する素子方位１８０°の振動子に対する駆動周波数ｆｏ−Ｆｗ／２で一様に駆動し、０°〜３０°の範囲の振動子はそれに隣接する素子方位０°の振動子に対する駆動周波数ｆｏ＋Ｆｗ／２で一様に駆動する。
【００６４】
この例では各素子方位の振動子を単一周波数のバースト波で駆動するので、図６に示したプログラマブルフィルタ３３ではパルス圧縮は行わず方位別の帯域制限のみを行う。
【００６５】
仮に第１の駆動信号Ｔｘ１で０°〜１８０°の振動子のみを駆動し、また第２の駆動信号Ｔｘ２で１８０°〜３６０°の振動子のみを駆動するように構成すれば、送信ビームの方位方向の周波数変化が０°と１８０°で不連続となって、それらの方位で探知画像の画質が劣化することになるが、この例のように０°±３０°の範囲と１８０°±３０°の範囲をそれぞれ第１・第２の駆動信号Ｔｘ１，Ｔｘ２で駆動するようにしたことにより所定強度の送信ビームを形成することができ、探知画像の劣化が解消できる。なお、同一方位の振動子から送信する超音波の周波数帯域と送信タイミングが共に重ならないので２つの信号の干渉は生じない。
【００６６】
図１３は、この実施形態の送信法による基準方位からの観測方位角と送信信号強度との関係を示している。このように、基準方位０°，１８０°での送信信号強度の変化が極めて小さく、それらの方位での探知画像の劣化が生じないことがわかる。
【００６７】
なお、第１の駆動信号Ｔｘ１によるバースト波と第２の駆動信号Ｔｘ２によるバースト波のタイミングはｄｅｌａｙ分だけずれているので、上述の方位別帯域制限を行った後、この時間ずれの補正を行う。そのことによって２つの基準方位０°，１８０°での距離方向のずれも生じない。
【００６８】
次に、第５の実施形態に係る超音波波送受信装置およびスキャニングソナーについて図１４を参照して説明する。
（Ａ）は基準方位からの素子方位角に対するバースト波の周波数の変化、（Ｂ）は第１の駆動信号Ｔｘ１による素子方位角方向の各振動子に対する重みの分布、（Ｃ）は第２の駆動信号Ｔｘ２による素子方位角方向の各振動子に対する重みの分布、（Ｄ）は、基準方位からの素子方位角とバースト波のタイミングおよび対応する振動子の駆動周波数との関係をそれぞれ示している。
【００６９】
図１２に示した例では素子方位角１８０°〜２１０°，３３０°〜３６０°の範囲の振動子を第１の駆動信号Ｔｘ１で同一周波数で駆動し、０°〜３０°，１５０°〜１８０°の範囲の振動子を第２の駆動信号Ｔｘ２でそれぞれ一様の周波数で駆動するようにしたが、この図１４に示す例では素子方位角０°〜１８０°の方位変化に対する第１の駆動信号Ｔｘ１の周波数変化がその前後でもさらに所定幅連続するように３３０°〜３６０°，１８０°〜２１０°の振動子を駆動する。同様に、素子方位角１８０°〜３６０°の方位変化に対する第２の駆動信号Ｔｘ２の周波数変化がその前後でもさらに所定幅連続するように１５０°〜１８０°，０°〜３０°の振動子を駆動する。
【００７０】
このように、第１・第２の駆動信号Ｔｘ１，Ｔｘ２でそれぞれ１８０°を超える範囲に亘って方位別周波数掃引を行うことによって、所定の送信開口を形成する複数の振動子の方位方向の駆動周波数分布が０°の前後で、および１８０°の前後で均等になるので、本来なら周波数が不連続となる０°と１８０°での探知画像の画質変化をより小さく抑えることができる。
【００７１】
次に、第６の実施形態に係る超音波送受信装置およびスキャニングソナーの構成を図１５を参照して説明する。
図１２に示した例では、３６０°を２分割したが、これを３分割またはそれ以上に分割して基準方位を３つ以上設ける場合にも同様に適用できる。図１５は３分割した例である。
【００７２】
図１５の（Ａ）は基準方位からの素子方位角に対するバースト波の周波数の変化、（Ｂ）は第１の駆動信号Ｔｘ１による素子方位角方向の各振動子に対する重みの分布、（Ｃ）は第２の駆動信号Ｔｘ２による素子方位角方向の各振動子に対する重みの分布、（Ｄ）は第３の駆動信号Ｔｘ３による素子方位角方向の各振動子に対する重みの分布、（Ｅ）は、基準方位からの素子方位角とバースト波のタイミングおよび対応する振動子の駆動周波数との関係をそれぞれ示している。
【００７３】
ここで０°〜１２０°の第１の駆動信号Ｔｘ１と、１２０°〜２４０°の第２の駆動信号Ｔｘ２、２４０°〜３６０°の第３の駆動信号Ｔｘ３とがこの発明に係る「主駆動信号」に相当し、１２０°〜１４０°，３４０°〜３６０°の第１の駆動信号Ｔｘ１と、１００°〜１２０°，２４０°〜２６０°の第２の駆動信号Ｔｘ２、０°〜２０°，２２０°〜２４０°の第３の駆動信号Ｔｘ３とがこの発明に係る「副駆動信号」に相当する。
【００７４】
この例では第１の駆動信号Ｔｘ１で３４０°（−２０°）〜１４０°の範囲の振動子を、０からＴまで駆動する。但し、３４０°〜３６０°の範囲の振動子は０°の振動子に対する駆動周波数ｆｏ−Ｆｗ／２で一様に駆動する。また１２０°〜１４０°の範囲の振動子は１２０°の振動子に対する駆動周波数ｆｏ＋Ｆｗ／２で一様に駆動する。
【００７５】
また、第２の駆動信号Ｔｘ２で１００°〜２６０°の範囲の振動子を、上記第１の駆動信号Ｔｘ１によるバースト波の送信タイミングから一定時間ｄｅｌａｙ１だけ遅れた時刻からＴの幅だけ駆動する。但し、１００°〜１２０°の範囲の振動子は１２０°の振動子に対する駆動周波数ｆｏ−Ｆｗ／２で一様に駆動し、０°〜３０°の範囲の振動子は０°の振動子に対する駆動周波数ｆｏ＋Ｆｗ／２で一様に駆動する。
【００７６】
また、第３の駆動信号Ｔｘ３で２２０°〜２０°の範囲の振動子を、上記第１の駆動信号Ｔｘ１によるバースト波の送信タイミングから一定時間ｄｅｌａｙ２だけ遅れた時刻からＴの幅だけ駆動する。但し、２２０°〜２４０°の範囲の振動子は２４０°の振動子に対する駆動周波数ｆｏ−Ｆｗ／２で一様に駆動し、０°〜２０°の範囲の振動子は０°の振動子に対する駆動周波数ｆｏ＋Ｆｗ／２で一様に駆動する。
【００７７】
なお、以上に示した各実施形態以外にも、メインローブとグレーティングローブのピーク方位の間隔よりも狭い方位範囲で各振動子に同一周波数が割り当てられないという条件を満たせば、周波数が連続的に変化する角度範囲やその範囲の数や各範囲での周波数の割り当て方法は任意に定めることができる。その際、１つのバースト波の周波数帯域を狭くすれば受信信号に対する帯域制限を狭くすることができ、そのことによって他の機器からの干渉を受けにくくできる。また、１つのバースト波の送信継続時間を短くすることによって、近距離まで探知可能となる。
【００７８】
なお、以上に述べた例は、複数の振動子を円周配列したトランスデューサを用いた場合についてであったが、複数の振動子を球形配列した球形トランスデューサを用いる場合についても同様に適用できる。
【図面の簡単な説明】
【００７９】
【図１】トランスデューサの構成例を示す斜視図
【図２】送信ビームの形成を説明するための図
【図３】受信ビームの形成を説明するための図
【図４】送信ビーム、受信ビーム、および探知範囲の関係を示す図
【図５】スキャニングソナーの送受信チャンネルの構成を示すブロック図
【図６】同スキャニングソナーの送受信チャンネルの制御を行う制御部のブロック図
【図７】第１の実施形態に係る超音波送受信装置およびスキャニングソナーにおける基準方位から素子方位角についてのバースト波の中心周波数、駆動信号の重み、バースト波のタイミングの関係を示す図
【図８】同実施形態の送信法による基準方位からの観測方位角と送信信号強度との関係を示す図
【図９】第２の実施形態に係る超音波送受信装置およびスキャニングソナーにおける基準方位から素子方位角についてのバースト波の中心周波数、駆動信号の重み、バースト波のタイミングの関係を示す図
【図１０】第３の実施形態に係る超音波送受信装置およびスキャニングソナーにおける基準方位から素子方位角についてのバースト波の中心周波数、駆動信号の重み、バースト波のタイミングの関係を示す図
【図１１】同実施形態の送信法による基準方位からの観測方位角と送信信号強度との関係を示す図
【図１２】第４の実施形態に係る超音波送受信装置およびスキャニングソナーにおける基準方位から素子方位角についてのバースト波の周波数、駆動信号の重み、バースト波のタイミングの関係を示す図
【図１３】同実施形態の送信法による基準方位からの観測方位角と送信信号強度との関係を示す図
【図１４】第５の実施形態に係る超音波送受信装置およびスキャニングソナーにおける基準方位から素子方位角についてのバースト波の周波数、駆動信号の重み、バースト波のタイミングの関係を示す図
【図１５】第６の実施形態に係る超音波送受信装置およびスキャニングソナーにおける基準方位から素子方位角についてのバースト波の周波数、駆動信号の重み、バースト波のタイミングの関係を示す図
【図１６】従来技術によるＤＦＭ送信法の例を示す図
【図１７】従来技術によるＤＦＭ送信法の別の例を示す図
【図１８】従来技術の送信法による基準方位からの観測方位角と送信信号強度との関係を示す図
【図１９】従来技術による基準方位からの素子方位角とバースト波の中心周波数との関係を示す図
【符号の説明】
【００８０】
１−トランスデューサ
１０−振動子
２１−送信信号生成回路
２６−プログラマブル送信ビーム形成制御部
２８−プログラマブル受信ビーム形成制御部
３３−プログラマブルフィルタ
１００−送受信チャンネル
Ｔｘ１−第１の駆動信号
Ｔｘ２−第２の駆動信号
【図１】
2005106705.tif 000003
【図２】
2005106705.tif 000004
【図３】
2005106705.tif 000005
【図４】
2005106705.tif 000006
【図５】
2005106705.tif 000007
【図６】
2005106705.tif 000008
【図７】
2005106705.tif 000009
【図８】
2005106705.tif 000010
【図９】
2005106705.tif 000011
【図１０】
2005106705.tif 000012
【図１１】
2005106705.tif 000013
【図１２】
2005106705.tif 000014
【図１３】
2005106705.tif 000015
【図１４】
2005106705.tif 000016
【図１５】
2005106705.tif 000017
【図１６】
2005106705.tif 000018
【図１７】
2005106705.tif 000019
【図１８】
2005106705.tif 000020
【図１９】
2005106705.tif 000021